(57)【要約】【課題】筆記体がリターンした際の十分な衝撃吸収性能を得ることができ、しかも、筆記体の円滑な出没を維持する。【解決手段】軸筒２内に複数の筆記体３を前後方向に移動可能に収容する。各々の筆記体３の後端に操作体４を接続する。軸筒２の側壁に前後方向に延びる複数の窓孔２４を貫設する。窓孔２４から各々の操作体４を突出させる。操作体４より前方の軸筒２の中間部内面に係止壁部５を設ける。係止壁部５の後面と各々の操作体４の前面との間に、各々の筆記体３を後方へ付勢するリターンスプリング６を配置する。係止壁部５より前方の各々の筆記体３の中間部外面に係止凸部３３を設ける。各々の係止凸部３３後面と係止壁部５前面との間に、各々の筆記体３を前方へ付勢するクッションスプリング７を配置する。【選択図】  図２
2005081821.tif 000002
【特許請求の範囲】
【請求項１】
軸筒内に複数の筆記体を前後方向に移動可能に収容し、前記各々の筆記体の後端に操作体を取り付け、前記軸筒の側壁に前後方向に延びる複数の窓孔を貫設し、前記窓孔から前記各々の操作体を突出させ、前記操作体より前方の軸筒の中間部内面に係止壁部を設け、前記係止壁部の後面と前記各々の操作体の前面との間に、各々の筆記体を後方へ付勢するリターンスプリングを配置し、前記リターンスプリングの後方付勢に抗して、一つの操作体を前方にスライドさせることにより、一つの筆記体のペン先を軸筒の先端から突出させるとともに、先に突出状態にあった他の筆記体のペン先を軸筒内に没入させる複合筆記具であって、前記係止壁部より前方の各々の筆記体の中間部外面に係止凸部を設け、前記各々の係止凸部の後面と前記係止壁部の前面との間に、各々の筆記体を前方へ付勢するクッションスプリングを配置したことを特徴とする複合筆記具。
【請求項２】
ペン先が軸筒の先端から突出状態の筆記体のクッションスプリングは非圧縮状態にある請求項１記載の複合筆記具。
【発明の詳細な説明】
【技術分野】
【０００１】
本発明は、複合筆記具に関する。詳細には、軸筒内に複数の筆記体を収容したスライド式の複合筆記具に関する。本発明で、「前」とはペン先側を指し、「後」とはその反対側を指す。
【背景技術】
【０００２】
従来、この種の複合筆記具において、特許文献１には、「軸筒の尾端側外周面に穿設された複数個の窓孔から作動子（本願の操作体）の押圧部が径方向に突出し、この押圧部を押圧して軸線方向に前進させると軸筒内に収容されたボールペン芯とシャープペンシル中具からなる複数本の書記体のいずれか１本の書記体が前進してボールペンチップないしシャープペンシルの先金が軸筒の先端開口から突出するとともに前進位置にある他の書記体を後退させるシャープペンシルとボールペンの多芯筆記具であって、前記シャープペンシル中具が後退するときに該シャープペンシル中具用の作動子が衝合する軸筒の受け面と該作動子の間に緩衝部材が介装されたことを特徴とするシャープペンシルとボールペンの多芯筆記具。」が開示されている。さらに、特許文献１には、受け面に弾力性に富んだゴム板からなる緩衝部材が貼り付けられる構成が記載されている。
【０００３】
しかし、前記特許文献１は、緩衝部材が、作動子の後端と軸筒内面の受け面との間に設けられる構成であるため、緩衝部材を配置するスペースに制限があり、緩衝部材として衝撃吸収性能が低いゴム板等を採用せざるを得ない。そのため、筆記体がリターンする際（即ちペン先突出状態からペン先没入状態へ移行する際）の十分な衝撃吸収性能が得られない。
【０００４】
特に、筆記体が、インキ収容管内に、低粘度油性インキまたは剪断減粘性を有する水性インキが収容され、且つ、前記インキの後端に、該インキの消費に伴い前進する追従体が収容されたボールペンである場合、筆記体リターン時の衝撃により、インキ及び追従体が後退してインキ収容管の後端開口部から漏出したり、ペン先から空気が入り込み、筆記不能となるおそれがある。
【特許文献１】実用新案登録第２５１１７４２号公報
【発明の開示】
【発明が解決しようとする課題】
【０００５】
本発明は前記従来の問題点を解決するものであって、筆記体がリターンした際の十分な衝撃吸収性能を得ることができ、しかも、筆記体の円滑な出没作動を維持できる複合筆記具を提供しようとするものである。
【課題を解決するための手段】
【０００６】
〔１〕本発明は、軸筒２内に複数の筆記体３を前後方向に移動可能に収容し、前記各々の筆記体３の後端に操作体４を取り付け、前記軸筒２の側壁に前後方向に延びる複数の窓孔２４を貫設し、前記窓孔２４から前記各々の操作体４を突出させ、前記操作体４より前方の軸筒２の中間部内面に係止壁部５を設け、前記係止壁部５の後面と前記各々の操作体４の前面との間に、各々の筆記体３を後方へ付勢するリターンスプリング６を配置し、前記リターンスプリング６の後方付勢に抗して、一つの操作体４を前方にスライドさせることにより、一つの筆記体３のペン先３１を軸筒２の先端から突出させるとともに、先に突出状態にあった他の筆記体３のペン先３１を軸筒２内に没入させる複合筆記具１であって、前記係止壁部５より前方の各々の筆記体３の中間部外面に係止凸部３３を設け、前記各々の係止凸部３３の後面と前記係止壁部５の前面との間に、各々の筆記体３を前方へ付勢するクッションスプリング７を配置したこと（請求項１）を要件とする。
【０００７】
前記請求項１の、各々の係止凸部３３の後面と係止壁部５の前面との間には、十分なスペースが確保でき、衝撃吸収性能がゴム板等よりも優れるスプリングよりなるクッションスプリング７を容易に配置できる。したがって、請求項１の、各々の係止凸部３３の後面と係止壁部５の前面との間に、各々の筆記体３を前方へ付勢するクッションスプリング７を配置したことにより、筆記体３がリターンした際の十分な衝撃吸収性能が得られる。
【０００８】
さらに、請求項１の、係止凸部３３の後面と係止壁部５の前面との間（即ち軸筒２内の中間部）に筆記体３を前方へ付勢するクッションスプリング７を配置したことにより、出没操作時のクッションスプリング７同士の接触や、クッションスプリング７と他の筆記体３との接触を回避でき、筆記体３の円滑な出没が維持される。もし、クッションスプリング７を、筆記体３の先端近傍や軸筒２内の先端近傍に配置した場合、クッションスプリング７同士が接触したり、クッションスプリング７と他の筆記体３とが接触し、筆記体３の円滑な出没作動が阻害されるおそれがある。
【０００９】
〔２〕前記請求項１の複合筆記具１において、ペン先３１が軸筒２の先端から突出状態の筆記体３のクッションスプリング７は非圧縮状態にあること（請求項２）が好ましい。前記クッションスプリング７は、ペン先突出状態からペン先没入状態に移行する過程で、ペン先３１がある程度、軸筒２内に没入するまでは非圧縮状態にあり、ペン先３１がある程度、軸筒２内に没入した後に圧縮が開始される。それにより、筆記体３の迅速な収納が可能となり、他の筆記体３の円滑な突出作動を阻害するおそれがない。もし、筆記体３のペン先３１が軸筒２の先端から突出状態のとき、クッションスプリング７が圧縮状態（前方付勢状態）にあると、筆記体３がリターンする際の、リターンスプリング６の後方付勢力が弱められ、筆記体３が軸筒２内に迅速に戻ることができず、ペン先３１が没入する過程にある筆記体３と、ペン先３１が突出する過程にある他の筆記体３とが接触し、他の筆記体３の円滑な突出作動が阻害されてしまう。
【発明の効果】
【００１０】
請求項１により、筆記体の円滑な出没が維持できるとともに、筆記体リターン時の十分な衝撃吸収性能を有する複合筆記具が得られる。
【００１１】
請求項２により、筆記体リターン時の筆記体の迅速な収納が可能となり、他の筆記体の円滑な突出を阻害するおそれがない。
【発明を実施するための最良の形態】
【００１２】
本発明を実施するための最良の形態を、以下、図面に従って説明する。
【実施例】
【００１３】
図１乃至図３に、本発明の一実施例を示す。本実施例の複合筆記具１は、軸筒２内に複数本（具体的には３本）の筆記体３が前後方向に移動可能に収容されている。
【００１４】
前記軸筒２は、先細状の円筒体からなる先軸２１と、該先軸２１と着脱自在に螺合される円筒状の後軸２２とからなる。前記先軸２１の先端には、筆記体３のペン先３１が突出可能な先端孔２３が貫設されている。また、前記後軸２２の後部の側壁には、複数（具体的には３個）の窓孔２４が貫設されている。さらに、前記後軸２２の窓孔２４相互間の内壁には、筆記体３先端の突出状態のときに操作体４と係止する、前後方向に延びるリブ２５が形成されている。
【００１５】
前記筆記体３は、ボールペンレフィルであり、先端にボールが回転可能に抱持されたボールペンチップ３１（即ちペン先）と、該ボールペンチップ３１を先端に備えた合成樹脂の押出成形体よりなるインキ収容管３２とからなる。前記インキ収容管３２の内部には、剪断減粘性を有する水性ゲルインキまたは低粘度油性インキからなるインキ３２ａと、該インキ３２ａの後端に配置され該インキ３２ａの消費に伴い前進する高粘度流体からなる追従体３２ｂとが充填されている。前記インキ収容管３２の中間部の外面には、係止凸部３３が塑性変形により一体に形成される。尚、本実施例では、前記係止凸部３３は、インキ収容管３２に一体に形成されているが、これ以外にも、インキ収容管３２の中間部外面に別部材を取り付けることにより構成することもできる。
【００１６】
前記軸筒２の内壁（即ち後軸２２の内壁）には、円柱状部材の取り付けにより、係止壁部５が形成される。前記係止壁部５は、インキ収容管３２が挿入される複数（具体的には３個）の内孔５１が前後方向に貫設されている。前記内孔５１は、前記インキ収容管３２の係止凸部３３後方の外面が遊挿可能なよう、係止凸部３３より後方のインキ収容管３２の外径より僅かに大きい内径を有する。尚、前記係止壁部５は、軸筒２の内壁と一体に形成することもできる。
【００１７】
前記各々の筆記体３の後端（即ちインキ収容管３２の後端開口部）には、操作体４が取り付けられる。前記各々の操作体４は、軸筒２（即ち後軸２２）の窓孔２４より外部に突出する操作部４１と、該操作部４１の反対側に設けられる前側突出部４２及び後側突出部４３と、インキ収容管３２の後端開口部に嵌入される嵌入部４４と、前記嵌入部４４の後方に形成される鍔部４５とを備える。前記嵌入部４４は、前記インキ収容管３２の後端開口部を完全には塞がず、インキ収容管３２の内部と外部とを通気可能に維持する。
【００１８】
ペン先没入状態にある筆記体３に取り付けられた操作体４の前側突出部４２は、その操作体４の操作部４１を前方にスライド操作した際、先にペン先突出状態にある他の筆記体３に取り付けられた操作体４の後側突出部４３と当接され、他の筆記体３の突出状態が解除される。筆記体３のペン先が没入状態のとき、その筆記体３に取り付けられた操作体４の後端部は、窓孔２４の後端部内面に当接されている。一方、筆記体３のペン先が突出状態のとき、その筆記体４に取り付けられた操作体４の後端部は、軸筒２内壁（後軸２２内壁）のリブ２５と係止されている。
【００１９】
前記係止壁部５の後面と、各々の操作体４の前面（即ち鍔部４５）との間には、圧縮コイルスプリングよりなるリターンスプリング６が配置され、該リターンスプリング６の内部に筆記体３が遊挿されている。即ち、前記リターンスプリング６の前端は係止壁部５の後面と係止され、且つ、リターンスプリング６の後端は鍔部４５と係止されている。前記リターンスプリング６の前端を係止壁部５の後面に確実に係止させるため、前記リターンスプリング６の前端部外径は内孔５１の後端開口部内径より大きく設定されている。
【００２０】
前記各々のリターンスプリング６は、各々の操作体４（即ち筆記体３）を、常時、後方に付勢している。即ち、前記リターンスプリング６は、ペン先突出状態及びペン先没入状態のいずれにおいても圧縮状態（筆記体３が後方に付勢された状態）にあり、それにより、操作体４の前後のがたつきが防止される。
【００２１】
前記筆記体３の係止凸部３３の後面と軸筒２内面の係止壁部５の前面との間には、圧縮コイルスプリングよりなるクッションスプリング７が配置され、該クッションスプリング７の内部に筆記体３が遊挿されている。即ち、前記クッションスプリング７の前端は、係止凸部３３の後面と係止され、且つ、前記クッションスプリング７の後端は、係止壁部５の前面と係止されている。前記クッションスプリング７の後端を係止壁部５の前面と確実に係止させるために、前記クッションスプリング７の後端部外径は内孔５１の前端開口部内径より大きく設定される。
【００２２】
前記クッションスプリング７は、ペン先突出状態のとき非圧縮状態（即ちクッションスプリング７が前後方向に移動可能な状態）にあり、一方、ペン先没入状態のときに圧縮状態（即ち筆記体３が前方付勢されている状態）にあるよう設定される。前記ペン先没入状態（即ち、操作体４の後端部が窓孔２４の後端部内面に係止された状態のとき）、クッションスプリング７の弾発力（前方付勢力）は、リターンスプリング６の弾発力（後方付勢力）より小さく設定される。それにより、操作体４の後端部と窓孔２４の後端部内面とが確実に係止され、操作体４の前後のがたつきが防止される。
【００２３】
（本実施例の作用）
一つの操作体４の操作部４１を、リターンスプリング６の後方付勢に抗して、前方にスライド操作させると、該スライド操作された操作体４の前側突出部４２が、先にペン先突出状態にある他の筆記体３の操作部４１の後側突出部４３を径方向外方に持ち上げる。それにより、軸筒２内壁のリブ２５と操作体４との係止状態が解除され、他の筆記体３がリターンスプリング６の後方付勢により後方に移動され、他の筆記体３のボールペンチップ３１（ペン先）が軸筒２内に没入され、他の筆記体３の操作部４１の後端部が窓孔２４の後端部内面に係止される。
【００２４】
前記他の筆記体３のペン先突出状態からペン先没入状態に移行する過程で、クッションスプリング７が圧縮され、操作体４の後端部が窓孔２４の後端部内面に当接するときの衝撃を和らげることができる。それにより、インキ収容管３２内のインキ３２ａ及び追従体３２ｂの後方移動を抑え、インキ３２ａ及び追従体３２ｂがインキ収容管３２の後端開口部から漏出することや、ボールペンチップ３１先端から空気が混入することを防止できる。
【００２５】
前記他の筆記体３のペン先没入と同時に、前方にスライド操作した操作体４を有する筆記体３のボールペンチップ３１（ペン先）が、軸筒２の先端孔２３より外部に突出されるとともに、前方にスライド操作された操作体４の後端部が軸筒２内壁のリブ２５に係止され、そのペン先突出状態が維持される。
【図面の簡単な説明】
【００２６】
【図１】本発明の一実施例の非筆記時を示す縦断面図である。
【図２】図１の筆記時（一つの筆記体のペン先突出状態）を示す縦断面図である。
【図３】図１の筆記体を示す縦断面図である。
【符号の説明】
【００２７】
１  複合筆記具
２  軸筒
２１  先軸
２２  後軸
２３  先端孔
２４  窓孔
２５  リブ
３  筆記体
３１  ボールペンチップ（ペン先）
３２  インキ収容管
３２ａ  インキ
３２ｂ  追従体
３３  係止凸部
４  操作体
４１  操作部
４２  前側突出部
４３  後側突出部
４４  嵌入部
４５  鍔部
５  係止壁部
５１  内孔
６  リターンスプリング
７  クッションスプリング
【図１】
2005081821.tif 000003
【図２】
2005081821.tif 000004
【図３】
2005081821.tif 000005